(57)【要約】【課題】人間とて独房の中では人格として機能しないのと同様であって、人間のように思考する装置すなわち人格として機能する半導体装置と周辺電子回路とプログラムには人間社会の常識や不文律や習慣や風土や文化などの情報と連動しなければならない。従来はこのような情報処理システムを構築するための指針と手法が無く限りなく困難であった。【解決手段】明細書に記載した数理モデルに基いて、人間のように思考する装置すなわち人格として機能する半導体装置と周辺電子回路と情報処理システムと、人間社会の実情を実時間で反映している統計情報システムと、人間社会で用いられる言語や記号や音声や動画像を含むサインを実時間で反映するデータベースシステムと、人間社会に流通する価値を可視可する実時間経済情報システムと、人間社会に流通する情報の善悪の価値判断を行う情報システムと、人間社会に作用する公共情報配信システムを構成することによって実現する。【選択図】図１
2009271749.tif 000002
【特許請求の範囲】
【請求項１】
人格として機能する半導体装置と周辺電子回路と情報処理システムであって、明細書に記載のある数理モデルに基いて構成されている情報処理システム
【請求項２】
人格として機能する半導体装置と周辺電子回路と情報処理システムと、それらと連動する人間社会の実情を実時間で反映している統計情報システムであって、明細書に記載のある数理モデルに基いて構成されている情報処理システム
【請求項３】
人格として機能する半導体装置と周辺電子回路と情報処理システムと、それらと連動しながら人間社会で用いられている言語や記号や音声や動画像を含むサインを実時間で反映しているデータベースシステムであって、明細書に記載のある数理モデルに基いて構成されている情報処理システム
【請求項４】
人格として機能する半導体装置と周辺電子回路と情報処理システムと、それらと連動しながら人間社会に流通する価値を可視化する実時間経済情報システムであって、明細書に記載のある数理モデルに基いて構成されている情報処理システム
【請求項５】
人格として機能する半導体装置と周辺電子回路と情報処理システムと、それらと連動しながら人間社会に流通する情報の善悪の価値判断と状況判断の指針を可視化する情報システムであって、明細書に記載のある数理モデルに基いて構成されている情報処理システム
【請求項６】
人格として機能する半導体装置と周辺電子回路と情報処理システムと、それらと連動しながら人間社会に作用している公共放送すなわち公共情報配信システムであって、明細書に記載のある数理モデルに基いて構成されている情報処理システム
【発明の詳細な説明】
【技術分野】
【０００１】
人間のように思考する装置すなわち人格として機能する半導体装置と周辺電子回路とプログラムのための情報システムに関する発明である。
【背景技術】
【０００２】
人間とて独房の中では人格として機能しないのと同様であって、人間のように思考する装置すなわち人格として機能する半導体装置と周辺電子回路とプログラムには人間社会の常識や不文律や習慣や風土や文化などの情報と連動しなければならない。従来はこのような情報処理システムを構築するための指針と手法が無く限りなく困難であった。
【発明の開示】
【発明が解決しようとする課題】
【０００３】
明細書に記載した数理モデルに基いて、人間のように思考する装置すなわち人格として機能する半導体装置と周辺電子回路と情報処理システムと、人間社会の実情を実時間で反映している統計情報システムと、人間社会で用いられている言語や記号や音声や動画像を含むサインを実時間で反映しているデータベースシステムと、人間社会に作用する公共放送すなわち公共情報配信システムを構成することによって実現する。
【０００４】
強化学習やマルコフ決定過程などの数理モデルを、政治の基礎理論として使用しようとする者はいない。そのまま使用すると過ちを齎すことが自明だからである。ここでは、強化学習とマルコフ決定過程の数理モデルを更に分解し、人間社会の全体像を示す数理モデルを示す。この数理モデルは、次世代の民主主義政治の基礎数理であり、それと同時に人工人格の基礎数理でもある。
【０００５】
強化学習とマルコフ決定過程では状態(s)と行動(a)と報酬(r)を次のように表記する。
【数１】
2009271749.tif 000003
【０００６】
エージェントが採用する方策(π)を次のように表記する。
【数２】
2009271749.tif 000004
【０００７】
エージェントが方策πに基づいて状態を評価する関数を状態価値関数と呼び、次のように表記する。  
【数３】
2009271749.tif 000005
【０００８】
エージェントが方策(π)に基づいて行動(a)を評価する関数を行動価値関数と呼び、次のように表記する。
【数４】
2009271749.tif 000006
【０００９】
数学は、何かと何かを = で結ぶことを繰り返すことによって成り立っている。= は、数学という知的活動における基幹的記号である。あらゆる方程式は、何かと何かを = で結ぶことである。あらゆる数学的証明は何かと何かを = で結ぶことを繰り返すことによって、何かが何かであることを示すことである。
【００１０】
数式には変数が含まれる。変数の値は可変であり、変数に値を代入することができる。例えば、変数と状態を等号で結ぶことによって、次のようにxという変数に3.14という値を代入することができる。
2009271749.tif 000007
この例ではxは変数であり、3.14が値である。これはつまり3.14はxの"状態"である。
【００１１】
これらの数学的な知的活動の本質は日本語でも英語でも全く同じであり、何かと何かを = で結ぶことを繰り返すことによって成り立つ。次の例を見て欲しい。
【数５】
2009271749.tif 000008
ここでは、「犬」は変数であり、「走る」が状態である。さらに、Dogは変数であり、runningが状態である。同様に、Dは変数であり、runningが状態である。
【００１２】
次に過去形の文を考えてみる。 
【数６】
2009271749.tif 000009
ここではDという変数に  t = t0 - tx  という時間の概念が含まれるものとする。tは時間の概念を示す変数であり、t0は現在を表す値であり、-txは過去を表す値である。
【００１３】
次は命令形の文を考えてみる。 
【数７】
2009271749.tif 000010
ここでは、Yは「あなた」という意味の変数であり、give()が状態であり、tは時間の概念を示す変数であり、t0は現在を表し、+txは将来を表すものとする。
【００１４】
更に後悔の念を表す文について考えてみる。 
【数８】
2009271749.tif 000011
ここでは、Iは「わたし」という意味の変数であり、pay()が状態であり、tは時間の概念を示す変数であり、t0は現在を表す値であり、-txは過去を表すものとする。つまり、t = t0 は、今現在を表し、t = t0 - tx は、過去を表し、t = t0 + tx は、将来を表す。
【００１５】
次は高度な抽象的価値判断を含む文について考えてみる。 
【数９】
2009271749.tif 000012
【数１０】
2009271749.tif 000013
2009271749.tif 000014
を人間の集合、すなわち人間社会とし、
2009271749.tif 000015
はある特定の人物とする。
2009271749.tif 000016
は人間の集合
2009271749.tif 000017
に所属する人数を示すものとする。
【数１１】
2009271749.tif 000018
【００１６】
"bad"は悪人すなわち有罪の意味の状態であり、"good"は善人すなわち無罪の意味の状態である。"good"と"bad"は状態であって定数ではない。このことを説明するためには人間社会の全体像の数理モデルが必要である。当論文では、以下、順を追ってそれを説明する。ここまでのこれらの例文からも判るように、人間の知的活動の本質は日本語でも英語でも数学全く同質であり、何かと何かを = で結ぶことを繰り返すことである。
【００１７】
人間の知性の本質は、何かと何かの類似点を発見して = で結ぶことを繰り返すことによって成り立つ。
2009271749.tif 000019
を記憶の集合とすると、
2009271749.tif 000020
のうち、任意の
2009271749.tif 000021
と、任意の
2009271749.tif 000022
の類似点を発見して = で結んで新しい
2009271749.tif 000023
を生成の連続を次のように表記することができる。
【数１２】
2009271749.tif 000024
【００１８】
これを更に細分化して表記すると次のようになる。 
【数１３】
2009271749.tif 000025
【００１９】
尚、ここでの記述例では
2009271749.tif 000026
が昇順になっているが、記憶の集合
2009271749.tif 000027
のうち、任意の
2009271749.tif 000028
と、任意の
2009271749.tif 000029
の類似点を発見するのであって、順序は不規則である。
【数１４】
2009271749.tif 000030
【００２０】
ここではこれを記憶処理と呼ぶことにし、この記憶処理のことを次のように表記する。
2009271749.tif 000031
は時間を示し、
2009271749.tif 000032
は記憶処理の数を示すものとする。
【数１５】
2009271749.tif 000033
【００２１】
人格とは、人間社会の構成員としての必要十分条件のことである。人間社会は物理現象として実在しているのではなく、人々が物理現象を介してお互いの心を推測し合うことによって実在している。人が3人集おうとも、お互いが血と肉の塊だと思っていたら、そこに人間社会は実在しえない。我々は、思い合うが故に人間社会あり、である。人工的に形成する人格のことを
2009271749.tif 000034
と表記することにする。ここでは、人格
2009271749.tif 000035
は、思考、意図形成、外部状況の把握、内部の状況把握、という4つの基本的な記憶処理を行いながら感情という状態を持つものとする。感情は大きく喜怒哀楽の4つに分類できるものとし、意図が満たされたとき、感情は喜楽に傾き、意図が満たされないとき、感情は怒哀に傾くものとする。また、意識とは人格が記憶処理にもとづいて自己と他者と状況を分析すること、と考える。人格と人格を仲介しているのは物理である。つまり人格は物理に対して働きかける機能と、物理から信号を読み取る機能を持つ必要がある。人格が物理に対して働きかける出力の集合を次のように表記する。
【００２２】
【数１６】
2009271749.tif 000036
【００２３】
人格が物理から信号を読み取る入力の集合を次のように表記する。 
【数１７】
2009271749.tif 000037
【００２４】
人格の持つ記憶の集合を次のように表記する。 
【数１８】
2009271749.tif 000038
【００２５】
また、人格の機能の集合を、ここでは次のように表記する。 
【数１９】
2009271749.tif 000039
ここで、
2009271749.tif 000040
は入力機能の数、
2009271749.tif 000041
は出力機能の数、
2009271749.tif 000042
は記憶処理機能の数を示すものとする。
【００２６】
出力価値関数について記述する。人格は記憶に基づいて出力機能を介して、出力を行い、物理に対して働きかける。人格が自らの記憶の状態を判定して出力を行う機能を、出力価値関数と呼び、次のように表記する。
【数２０】
2009271749.tif 000043
【００２７】
出力価値関数
2009271749.tif 000044
は、記憶の集合
2009271749.tif 000045
に基づいて出力を行う。また、ここでは人格が持つつあらゆる記憶の集合
2009271749.tif 000046
とその任意の部分集合
2009271749.tif 000047
を次のように表記する。
【数２１】
2009271749.tif 000048
【００２８】
入力価値関数について記述する。人格は物理から信号を読み取って記憶する機能を持つ。人格が物理を判定して記憶を行う機能を、入力価値関数と呼び、次のように表記する。
【数２２】
2009271749.tif 000049
【００２９】
入力価値関数
2009271749.tif 000050
は、物理
2009271749.tif 000051
に基づいて信号の読み取りを行う。ここでは全ての物理信号の集合
2009271749.tif 000052
とその任意の部分集合
2009271749.tif 000053
を次のように表記する。
【数２３】
2009271749.tif 000054
【００３０】
入出力と物理について述べる。人格が物理に対して働きかける出力の集合
2009271749.tif 000055
が物理
2009271749.tif 000056
に反映する。ただし、人格と人格の間は物理で満ちているものの、人間の知覚器官は視覚、聴覚、嗅覚、触覚、味覚、の5感である。人間の身体機能が極端な変化をしない限り、人格が知覚できる物理信号は、視覚、聴覚、嗅覚、触覚、味覚、の5感に基いて分類することができる。つまり、全ての物理信号の集合
2009271749.tif 000057
は次のように分解することができる。
【数２４】
2009271749.tif 000058
【００３１】
同様に人間の身体機能が劇的に変化しない限り、人格が物理を知覚する入力価値関数は、視覚、聴覚、嗅覚、触覚、味覚、の5感に基いて分類することができる。つまり、入力価値関数の集合
2009271749.tif 000059
は次のように5種類に分解することができる。
【数２５】
2009271749.tif 000060
【００３２】
人格の出力の集合
2009271749.tif 000061
が、物理
2009271749.tif 000062
に反映して、任意の人格の入力
2009271749.tif 000063
によって、記憶の集合
2009271749.tif 000064
に変換する。ここで、人格
2009271749.tif 000065
の入力が取り込んだ直後の記憶の集合を
2009271749.tif 000066
とする。ただし、
【数２６】
2009271749.tif 000067
である。
2009271749.tif 000068
も同様に5種類に分類できる。
【数２７】
2009271749.tif 000069
【００３３】
人格の出力の集合
2009271749.tif 000070
が、物理
2009271749.tif 000071
に反映して、入力
2009271749.tif 000072
が読み取るとき、ナイキスト-シャノンの定理に従う。視角は可視光の範囲までしか知覚出来ないし、聴覚は可聴音の範囲までしか知覚出来ない。可視光の波長はJIS Z8120によると360nm - 830nmであり、可聴音の波長は17mm - 17m、周波数に換算すると 20Hz  - 20000Hzの範囲である。人間は超音波やγ線、X線、紫外線、赤外線、サブミリ波、ミリ波、マイクロ波、FM放送やテレビ放送の電波、短波、中波、長波などの電磁波を、可視光と可聴音に変換した信号を用いて知覚している。
【００３４】
ここではまず、5感それぞれの量子化ビットを次のように表記することにする。 
【数２８】
2009271749.tif 000073
【００３５】
また、5感それぞれのサンプリング周波数を次のように表記することにする。
【数２９】
2009271749.tif 000074
【００３６】
そして、5感それぞれの入力機能の数を次のように表記する。
【数３０】
2009271749.tif 000075
【００３７】
時間tの単位を秒として、人格の一日の活動時間を12時間とすると、t=60x60x12=43200であり、一日のうちに人工人格
2009271749.tif 000076
が入力Iを介して物理から読み取る信号の総ビット数は次のようになる。
【数３１】
2009271749.tif 000077
【００３８】
つまり人格が物理から読み取る信号は無限ではなく有限であり、人間の記憶の集合
2009271749.tif 000078
は有限である。
【００３９】
人間社会は物理現象として実在しているのではなく、人々が物理を介してお互いの心を推測し合うことによって実在している。お互いの心を推測し合うということは、お互いの記憶の集合
2009271749.tif 000079
の状態を推測し合うということである。文明は世代を超えた記憶の集合
2009271749.tif 000080
の集積であり、文明を構成している記憶の集合
2009271749.tif 000081
も有限である。
【００４０】
記憶の集合
2009271749.tif 000082
の変換について述べる。記憶の集合
2009271749.tif 000083
が人格
2009271749.tif 000084
の中に蓄積されているものとする。ここで、人格
2009271749.tif 000085
の入力が取り込んだ直後の記憶の集合を
2009271749.tif 000086
とする。
人格
2009271749.tif 000087
は記憶の集合
2009271749.tif 000088
を、記憶処理
2009271749.tif 000089
によって、抽象記憶の集合
2009271749.tif 000090
に変換する。
【数３２】
2009271749.tif 000091
【００４１】
人格{AC}は、思考、意図形成、外部状況の把握、内部の状況把握、という4つの基本処理を行うものとする。ここで、記憶処理
2009271749.tif 000092
は、思考価値関数
2009271749.tif 000093
、意思形成価値関数
2009271749.tif 000094
、内部状況価値関数
2009271749.tif 000095
、外部状況価値関数
2009271749.tif 000096
の4つに分類できるものとする。
【００４２】
ただし、いずれの関数も記憶処理
2009271749.tif 000097
の集積によって構成されるのであって、思考価値関数
2009271749.tif 000098
、意思形成価値関数
2009271749.tif 000099
、内部状況価値関数
2009271749.tif 000100
、外部状況価値関数
2009271749.tif 000101
は、記憶処理
2009271749.tif 000102
の集合として捉えるものとする。
【数３３】
2009271749.tif 000103
【００４３】
人格
2009271749.tif 000104
は、思考価値関数
2009271749.tif 000105
、意思形成価値関数
2009271749.tif 000106
、内部状況価値関数
2009271749.tif 000107
、外部状況価値関数
2009271749.tif 000108
によって、原始記憶の集合
2009271749.tif 000109
を抽象記憶
2009271749.tif 000110
に変換する。同様に、抽象記憶
2009271749.tif 000111
は、思考
2009271749.tif 000112
、意思
2009271749.tif 000113
、外部状況
2009271749.tif 000114
、内部状況
2009271749.tif 000115
の4つに分類することができる。
【数３４】
2009271749.tif 000116
【００４４】
感情を
2009271749.tif 000117
と表記することにする。感情は大きく喜怒哀楽の4つに分類できるものとし、意思が満たされたとき、感情は喜楽に傾き、意思が満たされないとき、感情は怒哀に傾くものとする。
【００４５】
まず、集合
2009271749.tif 000118
の任意の
2009271749.tif 000119
と、内部状況記憶の集合
2009271749.tif 000120
の任意の
2009271749.tif 000121
が、記憶処理
2009271749.tif 000122
によって等号となる総数を次のように表記する。
【数３５】
2009271749.tif 000123
【００４６】
意思の集合
2009271749.tif 000124
の任意の
2009271749.tif 000125
と、外部状況記憶の集合
2009271749.tif 000126
の任意の
2009271749.tif 000127
が、記憶処理
2009271749.tif 000128
によって等号となる総数を次のように表記する。
【数３６】
2009271749.tif 000129
【００４７】
また、意思の集合
2009271749.tif 000130
の総数を次のように表記する。
【数３７】
2009271749.tif 000131
【００４８】
感情
2009271749.tif 000132
は次の式によって表記することができる。
【数３８】
2009271749.tif 000133
【００４９】
人格
2009271749.tif 000134
の機能の集合を
2009271749.tif 000135
とし、人格
2009271749.tif 000136
の質量
2009271749.tif 000137
を次のように表記することとする。
【数３９】
2009271749.tif 000138
【００５０】
また、人格
2009271749.tif 000139
の持つ機能の総数
2009271749.tif 000140
を次のように表記することとする。
【数４０】
2009271749.tif 000141
【００５１】
人格
2009271749.tif 000142
の持つ機能のうち、活動している機能の総数を次のように表記することとする。
【数４１】
2009271749.tif 000143
【００５２】
また、人格{AC}の持つ機能のうち、休止している機能の総数を次のように表記することとする。
【数４２】
2009271749.tif 000144
【００５３】
活動している機能の総数と休止している機能の総数の合計は人格
2009271749.tif 000145
の持つ機能の総数
2009271749.tif 000146
と一致する。
【数４３】
2009271749.tif 000147
【００５４】
人間の集団{H}において、総人口の平均体重と基礎代謝基準値の統計を採っているものとする。例えば、日本国では厚生労働省が「日本人の栄養所要量」あるいは「日本人の食事摂取基準」として纏めている。
【００５５】
まず、人間の集団{H}における平均体重を次のように表記する。
【数４４】
2009271749.tif 000148
【００５６】
それから、人間の集団{H}における基礎代謝基準値を次のように表記する。
【数４５】
2009271749.tif 000149
【００５７】
人間の年齢・性別毎の標準的な一日あたりの基礎代謝量は、基礎代謝基準値×体重で求めることができる。
【数４６】
2009271749.tif 000150
【００５８】
ここでの、
2009271749.tif 000151
は時間の概念、すなわち年齢を秒で表記したものとする。
また、体重(weight)は質量で表記することができ、代謝(metabolism)は熱量で表記することができる。質量の単位はkgで、熱量の単位はカロリーである。カロリー(cal)を電子ボルト(V)とジュール(J)に換算すると、1カロリーは0.261×10^20ボルトで、ジュールにすると4.1868である。
人格
2009271749.tif 000152
の質量
2009271749.tif 000153
と機能の総数
2009271749.tif 000154
は、
2009271749.tif 000155
は時間の概念、すなわち年齢によって変化する可変値とする。ここで、人格
2009271749.tif 000156
の質量
2009271749.tif 000157
を
2009271749.tif 000158
による関数とし、人間社会における性別毎の平均体重を
2009271749.tif 000159
による関数とすると、両関数のn次微分は限りなく等しくなければならない。
【数４７】
2009271749.tif 000160
【００５９】
人格
2009271749.tif 000161
の機能が働くために必要な熱量を
2009271749.tif 000162
とする。
2009271749.tif 000163
は入力が働くために必要な熱量、
2009271749.tif 000164
は出力が働くために必要な熱量、
2009271749.tif 000165
は記憶処理が働くために必要な熱量、
2009271749.tif 000166
は人格
2009271749.tif 000167
が活動するために必要な熱量とし、機能の総数
2009271749.tif 000168
と時間
2009271749.tif 000169
は、次の関係が成り立たせるための可変値とする。ここで、人格
2009271749.tif 000170
の機能が活動するための熱量を
2009271749.tif 000171
による関数とし、人間社会における性別毎の平均代謝量を
2009271749.tif 000172
による関数とすると、両関数のn次微分は限りなく等しくなければならない。
【数４８】
2009271749.tif 000173
【００６０】
集合
2009271749.tif 000174
は、人間の3大欲求、食欲(eat)、休息欲(rest)、性欲(sex)に基づいて形成されているものとし、3種類に分類できるものとする。
【数４９】
2009271749.tif 000175
【００６１】
人格
2009271749.tif 000176
の食欲(eat)、休息欲(rest)、性欲(sex)、意識(consciout)の周期を次のように表記することとする。単位は秒である。
【数５０】
2009271749.tif 000177
【００６２】
食欲(eat)周期とは、時間
2009271749.tif 000178
の概念であって、入力価値関数{I}による外部状況
2009271749.tif 000179
と内部状況
2009271749.tif 000180
の変化によって、意思形成価値関数
2009271749.tif 000181
が    食欲に拘る記憶の集合を更新することに要する時間
2009271749.tif 000182
のこととする。
【００６３】
休息欲(rest)周期とは、入力価値関数の修道
2009271749.tif 000183
が熱量を発しながら活動し、外部状況
2009271749.tif 000184
と内部状況
2009271749.tif 000185
が変化し、意思形成価値関数
2009271749.tif 000186
が    休息欲に拘る記憶の集合を更新することに要する時間
2009271749.tif 000187
のこととする。休息欲(rest)周期は、地球の自転の周期と、昼夜の長さと連動する。ここでは地球の自転の周期と、昼の長さ、夜の長さを、時間tの概念で次のように表記することとする。昼夜の長さは地球上の観測地点によって異なるので、人間社会
2009271749.tif 000188
が生息している地域の観測値を代入することとする。ここでは仮に約12時間としている。
【数５１】
2009271749.tif 000189
【００６４】
人格
2009271749.tif 000190
を、熱量
2009271749.tif 000191
を発する
2009271749.tif 000192
と
2009271749.tif 000193
による関数として考えると、地球の自転の周期と昼夜の長さの観測値に合わせて、周期的に変化するように
2009271749.tif 000194
と、
2009271749.tif 000195
と、
2009271749.tif 000196
のそれぞれの機能数
2009271749.tif 000197
とそれぞれの活動時間
2009271749.tif 000198
を調整すれば良い。人格
2009271749.tif 000199
が活動している状態のとき、活動している機能の総数は増加し、休止している機能の総数は減少する。反対に人格
2009271749.tif 000200
が睡眠している状態のとき、活動している機能の総数は減少し、休止している機能の総数は増加する。
【００６５】
性欲(sex)周期とは、時間
2009271749.tif 000201
の概念であって、外部状況
2009271749.tif 000202
と内部状況
2009271749.tif 000203
が変化し、意思形成価値関数
2009271749.tif 000204
が性欲に拘る記憶の集合を更新することに要する時間
2009271749.tif 000205
のこととする。自由恋愛を謳歌できる人間社会において、限りなく不規則な値として観測できると思われる。
意識(consciout)周期とは、時間
2009271749.tif 000206
の概念であって、人格
2009271749.tif 000207
において、思考価値関数
2009271749.tif 000208
、意思形成価値関数
2009271749.tif 000209
、内部状況価値関数
2009271749.tif 000210
、外部状況価値関数
2009271749.tif 000211
が活動しているように観測しうるに要する時間
2009271749.tif 000212
のこととする。
【００６６】
これまで述べてきた人格
2009271749.tif 000213
の数理モデルを用いて、マルコフ決定過程を分解することができる。
【００６７】
まず状態(St)を分解するまず状態
2009271749.tif 000214
を分解して考える。状態は物理
2009271749.tif 000215
の状態と、記憶の集合
2009271749.tif 000216
の状態に分解して考えることができる。
【数５２】
2009271749.tif 000217
2009271749.tif 000218
【００６８】
行動
2009271749.tif 000219
は出力
2009271749.tif 000220
と物理
2009271749.tif 000221
と入力
2009271749.tif 000222
の部分和に分解することができる。行動
2009271749.tif 000223
は、出力
2009271749.tif 000224
が物理
2009271749.tif 000225
を介して入力
2009271749.tif 000226
によって記憶集合
2009271749.tif 000227
に反映することなので、出力に拘わった人間集合
2009271749.tif 000228
と、入力に拘わった人間集合
2009271749.tif 000229
に依存して変化する。
行動
2009271749.tif 000230
は、出力
2009271749.tif 000231
が物理
2009271749.tif 000232
に反映して
2009271749.tif 000233
によって読み込まれ、記憶処理
2009271749.tif 000234
によって形成されるものである。このときの記憶処理
2009271749.tif 000235
は
2009271749.tif 000236
の集積であり、行動
2009271749.tif 000237
は次の式のように分解して考えることができる。
【数５３】
2009271749.tif 000238
【００６９】
時間
2009271749.tif 000239
には、地球の公転周期と自転周期にあわせた物理時間と、任意の人格
2009271749.tif 000240
の主観時間に区分できる。物理時間を次のように表記することとする。
【数５４】
2009271749.tif 000241
【００７０】
主観時間を次のように表記することとする。
【数５５】
2009271749.tif 000242
【００７１】
報酬
2009271749.tif 000243
とは、
2009271749.tif 000244
時点において、意図の記憶集合
2009271749.tif 000245
の任意の
2009271749.tif 000246
と、内部状況の記憶集合
2009271749.tif 000247
と外部状況の記憶集合
2009271749.tif 000248
の任意の
2009271749.tif 000249
が等号となる記憶
2009271749.tif 000250
の集合のことである。報酬を主観時間による関数として捉えると、次のように表記することができる。
【数５６】
2009271749.tif 000251
【００７２】
期待
2009271749.tif 000252
とは、
2009271749.tif 000253
における状態によって、
2009271749.tif 000254
時点において報酬
2009271749.tif 000255
が期待できる記憶の集合
2009271749.tif 000256
の状態のことであり、次のように表記できる。
【数５７】
2009271749.tif 000257
【００７３】
状態価値関数と行動価値関数は、状態と時間と人間社会
2009271749.tif 000258
の数に着目して分解することができる。
【数５８】
2009271749.tif 000259
【００７４】
状態価値関数
2009271749.tif 000260
は、人間社会
2009271749.tif 000261
、その部分集合
2009271749.tif 000262
、任意の人物 
2009271749.tif 000263
ごとに分類することができる。任意の人物 
2009271749.tif 000264
にとって、状態価値関数とは、意図の記憶集合
2009271749.tif 000265
の任意のmと、内部状況の記憶集合
2009271749.tif 000266
と外部状況の記憶集合
2009271749.tif 000267
の任意の
2009271749.tif 000268
が等号となる記憶処理
2009271749.tif 000269
の集合として分解することができる。
【００７５】
人間社会
2009271749.tif 000270
、その部分集合
2009271749.tif 000271
の場合も同様であり、つまり、状態価値関数は時間軸
2009271749.tif 000272
と人間社会
2009271749.tif 000273
の総数
2009271749.tif 000274
の関数と考えることができる。つまり、状態の価値を判定するということは時間軸
2009271749.tif 000275
と人間社会
2009271749.tif 000276
の総数
2009271749.tif 000277
を設定するということである。
【００７６】
行動価値関数
2009271749.tif 000278
は状態
2009271749.tif 000279
にもとづいて行動
2009271749.tif 000280
を選択する関数である。行動
2009271749.tif 000281
は出力の集合
2009271749.tif 000282
と入力の集合
2009271749.tif 000283
によって定まり、出力に拘わった人間集合
2009271749.tif 000284
と、入力に拘わった人間集合
2009271749.tif 000285
に依存する。
【００７７】
つまり、行動の価値を判定するということは、出力に拘わる人間集合{H_x}と入力に拘わる人間集合
2009271749.tif 000286
の母集団
2009271749.tif 000287
と時間軸
2009271749.tif 000288
を設定するということである。
【００７８】
これまで見てきたように、方策πとは、各集合に属する数
2009271749.tif 000289
と、各集合の時間
2009271749.tif 000290
を設定することである。個人方策πとは、Hxという個体の時間軸
2009271749.tif 000291
を設定することである。このとき
2009271749.tif 000292
の
2009271749.tif 000293
は限りなく1に近い値である。集団方策πとは、
2009271749.tif 000294
という人間社会の時間軸
2009271749.tif 000295
を設定することである。このとき
2009271749.tif 000296
の
2009271749.tif 000297
は限りなく総人員あるいは総人口に近い値である。
【数５９】
2009271749.tif 000298
【００７９】
次に人間社会の数理モデルについて述べる。人間関係・愛着とは、任意の人間から任意の人間に対する任意の時間軸上の範囲における報酬体験の総和である。ここではこれをattachmentと表記することにする。このattachmentは数値・強度として算出することができる。任意の人
2009271749.tif 000299
から任意の人
2009271749.tif 000300
へのattachmentを次のように表記する。
【数６０】
2009271749.tif 000301
【００８０】
任意の人
2009271749.tif 000302
から任意の人間集団
2009271749.tif 000303
へのattachmentを次のように表記する。
【数６１】
2009271749.tif 000304
【００８１】
任意の人間集団
2009271749.tif 000305
から任意の人
2009271749.tif 000306
へのattachmentを次のように表記する。
【数６２】
2009271749.tif 000307
【００８２】
任意の人間集団
2009271749.tif 000308
から任意の人間集団
2009271749.tif 000309
へのattachmentを次のように表記する。
【数６３】
2009271749.tif 000310
【００８３】
次に教育と常識と法について述べる。教育とは、世代間を越えた報酬の期待にもとづいて状態価値関数と行動価値関数を伝承することである。
教育を設定する手順は次の通りである。まず、人間集団
2009271749.tif 000311
を設定する。
2009271749.tif 000312
に属する人の総数を設定する。それから、人間集団
2009271749.tif 000313
における、
2009271749.tif 000314
時点での
2009271749.tif 000315
を設定する。
2009271749.tif 000316
時点での
2009271749.tif 000317
と、
2009271749.tif 000318
の式より、
2009271749.tif 000319
の状態を求める。
2009271749.tif 000320
であり、そして
2009271749.tif 000321
の式より、
2009271749.tif 000322
を求める。さらに
2009271749.tif 000323
の式より、
2009271749.tif 000324
を求め、さらに
2009271749.tif 000325
の式より、
2009271749.tif 000326
の集合を求めることができる。ここで、この
2009271749.tif 000327
が教育になる。
【００８４】
このうち
2009271749.tif 000328
は語(WD)、文(SC)、常識(CS)、記号(SL)に分類することができる。
【数６０】
2009271749.tif 000329
まず人間集団
2009271749.tif 000330
を設定し、
2009271749.tif 000331
に属する人の総数を設定し、それから、人間集団
2009271749.tif 000332
における、
2009271749.tif 000333
時点での
2009271749.tif 000334
を設定することによって、教育を定めることができる。そうすることによって常識を定めることができ、さらに法を定めることができる。
【００８５】
信用と価値について述べる。信用とは人間関係・愛着(attachment)と同じ定義を用いることができる。したがって次のように表記することができる。
【数６１】
2009271749.tif 000335
【００８６】
価値とは、将来において報酬
2009271749.tif 000336
を上昇させうる状態
2009271749.tif 000337
のことである。将来を
2009271749.tif 000338
とおくと、
2009271749.tif 000339
の式より、
2009271749.tif 000340
における 報酬
2009271749.tif 000341
を実現するための
2009271749.tif 000342
を定めることができる。
【００８７】
国家という人間集団
2009271749.tif 000343
によって定められている価値のことを、ここでは貨幣
2009271749.tif 000344
と呼ぶ。まず人間集団
2009271749.tif 000345
と人
2009271749.tif 000346
数だけ欲求がある。ここでいう欲求とは意図
2009271749.tif 000347
のことである。欲求
2009271749.tif 000348
の充足は
2009271749.tif 000349
と
2009271749.tif 000350
の変化によって成就する。
【００８８】
人間集団
2009271749.tif 000351
は、次の式が成り立ちうる
2009271749.tif 000352
を貨幣として設定することができる。貨幣
2009271749.tif 000353
とは欲求
2009271749.tif 000354
を充足する手段としての
2009271749.tif 000355
との契約である。
【数６２】
2009271749.tif 000356
【００８９】
人間集団
2009271749.tif 000357
が貨幣
2009271749.tif 000358
を動かすことによって、
2009271749.tif 000359
によって行動
2009271749.tif 000360
が引き出され、
2009271749.tif 000361
が上昇する。ここで引き出された行動
2009271749.tif 000362
が商行為である。商行為とは仕入れて加工して販売することであり、入力と出力の集合のことである。
【００９０】
経済政策とは、状態に
2009271749.tif 000363
時点での国民資産の統計を代入し、それから、人間集団における、
2009271749.tif 000364
時点での報酬の総和を設定する。
2009271749.tif 000365
時点での
2009271749.tif 000366
と、
2009271749.tif 000367
の式より、
2009271749.tif 000368
の状態を求める。
2009271749.tif 000369
であり、
2009271749.tif 000370
の式より、
2009271749.tif 000371
を求める。さらに
2009271749.tif 000372
の式より、
2009271749.tif 000373
を求め、さらに
2009271749.tif 000374
の式より、
2009271749.tif 000375
の集合を求めることができる。ここで、この
2009271749.tif 000376
が経済政策になる。
【００９１】
意図にもとづく情報配信(報道)について述べる。まず人間集団において出力の集合と物理の集合がある。これが事件・事実である。ここで、情報配信者の出力の集合が加算されることによって、この事件・事実を配信するための情報が形成される。
【数６３】
2009271749.tif 000377
【００９２】
情報が到達すると、到達した人間集団あるいは任意の人物において外部状況の記憶集合と内部状況の記憶集合が変化する。外部状況の記憶集合と内部状況の記憶集合の状態が変化すると、欲求の状態も変化する。欲求の状態変化は、すなわち状態の変化であり、行動価値関数の式によって、行動が引き起こされる。 
ここで引き起こされた行動によって人間集団の報酬の総和が上昇すれば、良い情報配信であり、下降すれば悪い情報配信である。 
情報配信者が情報を形成する時点において、事前に人間集団の報酬の総和を予め設定することは可能だが、行動価値関数の式によって引き起こされた行動の及ぶ範囲が事前に設定した人間集合の範囲と合致しなければ、予め設定した報酬と実際の報酬が異なる。
【００９３】
政治とは人間集団における報酬を最大化するための方策を探求することである。これまで見てきたように方策とは時間 
2009271749.tif 000378
と 集合
2009271749.tif 000379
を設定することであり、政治は究極的に 
2009271749.tif 000380
と
2009271749.tif 000381
の実時間調整問題に帰結するようになる。善悪の定義は次の通りである。
【数６４】
2009271749.tif 000382
人間集団の将来の報酬を上昇させる行動が善であり、人間集団の将来の報酬を下降させる行動が悪である。
【００９４】
以上、示してきたように人工人格の数理モデルは、人間社会の数理モデルでもあり、国家像の数理モデルの礎となるものである。人格とは、社会の構成員としての必要十分条件のことである。社会は生まれ出でた人間が人格として機能しうるためにあらゆる手を尽くさねばならない。日本国憲法の基礎理念にある基本的人権の保護とは、それを宣言して明文化したものである。半導体とトランジスタの微細化技術が発展し、人類の有史以来、これまでになかったような文明形態を実現することが可能になってきている。国家の基幹を支える情報通信網によって高密度な文明を実現することが出来る。国家の情報通信網は高度な社会知性を創造し続けるための文明の礎とならなくてはならない。当該数理モデルに基いた数理モデルに基く情報システムはが次世代の民主主義国家の礎として発展する。
【実施例】
【００９５】
国家、地方自治体、などの単位で、人間のように思考する装置すなわち人格として機能する半導体装置と周辺電子回路と情報処理システムと、人間社会の実情を実時間で反映している統計情報システムと、人間社会で用いられている言語や記号や音声や動画像を含むサインを実時間で反映しているデータベースシステムと、人間社会に流通する価値を可視可する実時間経済情報システムと、人間社会に流通する情報の善悪の価値判断を行う情報システムと、人間社会に作用する公共放送すなわち公共情報配信システムを構成することができる。
【図面の簡単な説明】
【００９６】
【図１】人間のように思考する装置すなわち人格として機能する半導体装置と周辺電子回路と情報処理システムの機能ブロック図である
【図２】人間のように思考する装置すなわち人格として機能する半導体装置と周辺電子回路と情報処理システムにおける記憶の構造を示す図である。
【図３】人間のように思考する装置すなわち人格として機能する半導体装置と周辺電子回路と情報処理システムにおける意識を実現している機能を示す図である。
【図４】人間のように思考する装置すなわち人格として機能する半導体装置と周辺電子回路と情報処理システムにおける記憶の構造を示す図である。
【図５】人間のように思考する装置すなわち人格として機能する半導体装置と周辺電子回路と情報処理システムにおける思考処理を示す図である。
【図６】人間のように思考する装置すなわち人格として機能する半導体装置と周辺電子回路と情報処理システムにおける意図形成処理を示す図である。
【図７】人間のように思考する装置すなわち人格として機能する半導体装置と周辺電子回路と情報処理システムにおける画像解釈を示す図である。
【図１】
2009271749.tif 000383
【図２】
2009271749.tif 000384
【図３】
2009271749.tif 000385
【図４】
2009271749.tif 000386
【図５】
2009271749.tif 000387
【図６】
2009271749.tif 000388
【図７】
2009271749.tif 000389